(57)【要約】  本発明の一実施形態に係るスカートライナー１は、スカートタイプの本体部１０と、一端側が本体部１０の前側ウエスト部周辺に結合し、当該一端側から腹部及び股部を覆うように延在し、他端側が本体部１０の後側下部中央に結合する腹部及び股部用緊締部２０と、を備え、腹部及び股部用緊締部２０における一端側及び他端側以外の部分は、本体部１０に非結合であることを特徴とする。
2012056572.tif 000002
【特許請求の範囲】
【請求項１】
スカートタイプの本体部と、
一端側が前記本体部の前側ウエスト部周辺に結合し、当該一端側から腹部及び股部を覆うように延在し、他端側が前記本体部の後側下部中央に結合する腹部及び股部用緊締部と、を備え、
前記腹部及び股部用緊締部における一端側及び他端側以外の部分は、前記本体部に非結合であることを特徴とする、スカートタイプの補整用下着。
【請求項２】
前記腹部及び股部用緊締部の他端側は、体中心に寄せ縮められるように結合していることを特徴とする、請求項１に記載のスカートタイプの補整用下着。
【請求項３】
スカートタイプの本体部と、
一端側が前記本体部の前側ウエスト部周辺に結合し、当該一端側から腹部及び股部を覆うように延在して、他端側が前記本体部の後側に結合する腹部及び股部用緊締部と、
前記本体部の前側ウエスト部中央から腹部を覆いつつ左右脇側下方へ向けて延在する腹部用緊締部と、を備え、
前記腹部及び股部用緊締部における一端側及び他端側以外の部分は、前記本体部に非結合であることを特徴とする、スカートタイプの補整用下着。
【請求項４】
前記腹部及び股部用緊締部の他端側は、前記本体部の後側下部中央に結合していることを特徴とする、請求項３に記載のスカートタイプの補整用下着。
【請求項５】
前記腹部及び股部用緊締部の他端側は、体中心に寄せ縮められるように結合していることを特徴とする、請求項４に記載のスカートタイプの補整用下着。
【請求項６】
前記腹部用緊締部の中央端は、前記本体部の前側ウエスト部中央に結合し、前記腹部用緊締部の左右脇端は、前記本体部の脇側に結合し、
前記腹部用緊締部における中央端及び左右脇端以外の部分は、前記本体部に非結合であることを特徴とする、
請求項３に記載のスカートタイプの補整用下着。
【請求項７】
前記腹部用緊締部は、前記本体部に結合していることを特徴とする、請求項３に記載のスカートタイプの補整用下着。
【請求項８】
前記腹部用緊締部は、前記本体部に編みたてによって形成されていることを特徴とする、請求項７に記載のスカートタイプの補整用下着。
【発明の詳細な説明】
【技術分野】
【０００１】
本発明は、スカートタイプの補整用下着に関するものである。
【背景技術】
【０００２】
腹部や臀部等を補整するための下着としてガードルが広く知られているが、ガードルの他にもスカートライナーやペチコートといったスカートタイプの補正用下着も考案されている。この種のスカートタイプの補正用下着が、特許文献１〜３に開示されている。特許文献１には、ガードル機能を備えたペチコートであって、ペチコート本体の股間部にクロッチ片を縫着すると共に、ペチコート本体の腹部にクロッチ片から延設された弾性片を縫着したものが開示されている。また、特許文献２には、ショーツ付きガードルであって、腹巻型のガードル本体の内側にショーツを縫着したものが開示されている。また、特許文献３には、コルセット付きパンツであって、腹巻用の筒状部の内部にコルセット及びマチ部を縫着したものが開示されている。
【先行技術文献】
【特許文献】
【０００３】
【特許文献１】実開平５−３７９０４号公報
【特許文献２】実開平４−１１８４０３号公報
【特許文献３】特開平９−１３２０１号公報
【発明の概要】
【発明が解決しようとする課題】
【０００４】
ところで、見た目の問題で、若者の補整用下着離れが見受けられる。例えば、特許文献１〜３に開示されたスカートタイプの補正用下着では、緊締部や股部（クロッチ部）の縫着部分がスカート本体部に現れているので、補整用下着であることが一目両全であり、若者にとってこの種の補正用下着を着用することに抵抗感がある。【０００５】
しかしながら、若者でも腹部の出っ張りや臀部の垂れ下がりが気になる人が多く、見た目におしゃれな補正用下着が要望されている。【０００６】
そこで、本発明は、見た目におしゃれな若者向けスカートタイプの補整用下着を提供することを目的とする。
【課題を解決するための手段】
【０００７】
本発明のスカートタイプの補整用下着は、スカートタイプの本体部と、腹部及び股部用緊締部を備えている。腹部及び股部用緊締部は、一端側が本体部の前側ウエスト部周辺に結合し、一端側から腹部及び股部を覆うように延在し、他端側が本体部の後側下部中央に結合している。腹部及び股部用緊締部における一端側及び他端側以外の部分は、本体部に非結合であることを特徴とする。【０００８】
このスカートタイプの補整用下着によれば、腹部及び股部用緊締部における一端側及び他端側以外の部分が本体部に非結合であるので、腹部及び股部用緊締部の存在が本体部に現れない。したがって、見た目がおしゃれなスカートタイプの下着であり、若者にも抵抗感がない。【０００９】
このように、このスカートタイプの補整用下着は、見た目におしゃれなスカートタイプの下着でありながら、以下に説明するように、腹部及び臀部の補整の観点からも優れた作用効果を奏する。すなわち、腹部及び股部用緊締部によって、腹部の出っ張りを補整することができる。また、腹部及び股部用緊締部によって、本体部の後身頃を臀部に密着させ、臀部の垂れ下がりを補整することができる。また、腹部及び股部用緊締部によって、スカート本体部の裾の捲くれ及びずり上がりを防止することができる。【００１０】
上記した腹部及び股部用緊締部の他端側は、体中心に寄せ縮められるように結合していることが好ましい。【００１１】
この構成によれば、腹部及び股部用緊締部におけるクロッチ部分を、立体的に形成し、着用者の股部にしっかりフィットさせることができる。これにより、腹部及び股部用緊締部の他端側を臀裂下部及び臀溝体中心部の窪みにしっかり入り込ませ、本体部の後身頃を臀部下部により密着させることができる。その結果、臀部の垂れ下がりをより補整することができる。【００１２】
本発明の他のスカートタイプの補整用下着は、スカートタイプの本体部と、一端側が本体部の前側ウエスト部周辺に結合し、一端側から腹部及び股部を覆うように延在して、他端側が本体部の後側に結合する腹部及び股部用緊締部と、本体部の前側ウエスト部中央から腹部を覆いつつ左右脇側下方へ向けて延在する腹部用緊締部と、を備え、腹部及び股部用緊締部における一端側及び他端側以外の部分は、本体部に非結合であることを特徴とする。【００１３】
このスカートタイプの補整用下着でも、上述したように、腹部及び股部用緊締部における一端側及び他端側以外の部分が本体部に非結合であるので、腹部及び股部用緊締部の存在が本体部に現れない。したがって、見た目がおしゃれなスカートタイプの下着であり、若者にも抵抗感がない。【００１４】
このように、このスカートタイプの補整用下着でも、見た目におしゃれなスカートタイプの下着でありながら、以下に説明するように、腹部及び臀部の補整の観点からも優れた作用効果を奏する。すなわち、上述したように、腹部及び股部用緊締部によって、腹部の出っ張り及び臀部の垂れ下がりを補整することができる。更に、腹部用緊締部によっても、腹部の出っ張りを補整することができる。【００１５】
ところで、従来の水平方向に延在する腹部用緊締部によって腹部を圧迫すると、腹部の肉が腹部用緊締部の上方へ押し出され、被覆部と非被覆部とに段が形成されてしまう。しかしながら、このスカートタイプの補整用下着によれば、腹部用緊締部によって前側中央から左右脇側へ向けて斜め下方に圧をかけることとなるので、腹部の肉に対して下方向の力が作用する。したがって、腹部の肉が腹部用緊締部の上方へ押し出されることがなく、被覆部と非被覆部とに段が形成され難い。【００１６】
更に、このスカートタイプの補整用下着によれば、腹部用緊締部によって下方へ移動された腹部の肉を、腹部及び股部用緊締部によってスムージングすることができる。【００１７】
上記した腹部及び股部用緊締部の他端側は、本体部の後側下部中央に結合していることが好ましい。この構成によれば、腹部及び股部用緊締部が本体部の裾口に近い位置で後身頃に縫着されることとなるので、上述したように、腹部及び股部用緊締部によって、本体部の後身頃を臀部により密着させ、臀部の垂れ下がりをより補整することができる。また、スカート本体部の裾の捲くれ及びずり上がりをより防止することができる。【００１８】
また、上記した腹部及び股部用緊締部の他端側は、体中心に寄せ縮められるように結合していることが好ましい。この構成によれば、上述したように、腹部及び股部用緊締部におけるクロッチ部分を、立体的に形成し、着用者の股部にしっかりフィットさせることができる。これにより、腹部及び股部緊締部の他端側部分を臀裂下部及び臀溝体中心部の窪みにしっかり入り込ませ、本体部の後身頃を臀部下部により密着させることができ、臀部の垂れ下がりをより補整することができる。【００１９】
また、上記した腹部用緊締部の中央端は、本体部の前側ウエスト部中央に結合し、腹部用緊締部の左右脇端は、本体部の脇側に結合し、腹部用緊締部における中央端及び左右脇端以外の部分は、本体部に非結合であることが好ましい。【００２０】
この構成によれば、腹部用緊締部における中央端及び左右脇端以外の部分が本体部に非結合であるので、腹部用緊締部の存在が本体部に現れない。したがって、見た目がおしゃれなスカートタイプの下着であり、若者にも抵抗感がない。【００２１】
また、上記した腹部用緊締部は、本体部に結合していることが好ましい。この構成によれば、腹部用緊締部による腹部の補整力をパワーアップすることができる。【００２２】
また、上記した腹部用緊締部は、本体部に編みたてによって形成されていることが好ましい。この構成によれば、腹部用緊締部による腹部の補整力をパワーアップすることができると共に、見た目をスッキリさせることができる。また、製造を容易にすることができる。
【発明の効果】
【００２３】
本発明によれば、見た目におしゃれな若者向けスカートタイプの補整用下着を実現することができる。
【図面の簡単な説明】
【００２４】
【図１】図１は本発明の実施形態に係るスカートライナーを示す斜視図である。
【図２】図２は本発明の実施形態に係るスカートライナーの裏側を前側から示す正面図である。
【図３】図３は本発明の実施形態に係るスカートライナーの裏側を後側から示す背面図である。
【図４】図４は本発明の実施形態に係るスカートライナーを分解して示す分解図である。
【図５】図５は従来の腹部用緊締部を示す図である。
【図６】図６は本実施形態の腹部用緊締部を示す図である。
【図７】図７は従来の緊締部を有さないショーツを着用したときの図である。
【図８】図８は従来の腹部及び臀部を補正するための緊締部を有するガードルを着用したときの図である。
【図９】図９は本実施形態のスカートライナーを着用したときの図である。
【図１０】図１０は本発明の第１の変形例に係るスカートライナーの裏側を前側から示す正面図である。
【図１１】図１１は本発明の第２の変形例に係るスカートライナーの裏側を後側から示す背面図である。
【図１２】図１２は本発明の第３の変形例に係るスカートライナーの裏側を後側から示す背面図である。
【発明を実施するための形態】
【００２５】
以下、図面を参照して本発明の好適な実施形態について詳細に説明する。なお、各図面において同一又は相当の部分に対しては同一の符号を附すこととする。
【００２６】
図１は、本発明の実施形態に係るスカートライナーを示す斜視図であり、図２は、本発明の実施形態に係るスカートライナーの裏側（肌側）を前側から示す正面図であり、図３は、本発明の実施形態に係るスカートライナーの裏側を後側から示す背面図である。また、図４は、本発明の実施形態に係るスカートライナーを分解して示す分解図である。図１〜４に示すスカートライナー１は、本体部１０と、腹部及び股部用緊締部２０と、腹部用緊締部３０とを備えている。
【００２７】
本体部１０は、着用者の腹部及び臀部を覆うスカートタイプの下着であり、伸縮性を有する生地からなり、着用状態において、着用者の腹部及び臀部に密着するように形成されている。例えば、本体部１０では、前身頃をなす生地（例えば、ツーウェイ素材）と後身頃をなす生地（例えば、ツーウェイ素材）とが左右の脇側で縫着されている。また、本体部１０では、ウエスト部１１として伸縮性の有る素材、例えば、弾性糸入りのテープが縫着されており、着用時のウエストのフィット感が確保されている。
【００２８】
なお、本実施形態では、ウエスト部１１は、本体部１０と同様に左右の脇側で縫着されているが、本発明はこれに限定されるものではない。例えば、ウエスト部１１の両端を後中心等、左右の脇側部分以外の部分で互いに縫着することで、左右の脇側部分に縫着部が形成されないようにしても良い。
【００２９】
本実施形態では、本体部１０は前身頃及び後身頃から形成されている例を挙げて説明しているが、本発明はこれに限定されるものではない。本体部１０の形成方法としては、例えば、１枚の生地の両端を後中心又は前中心側で縫着し（接ぎ合わせ）て、身頃（本体部１０）を形成するといったことも考えられる。左右の身頃を形成する生地を前中心と後中心とでそれぞれ接ぎ合わせて身頃（本体部１０）を形成するといった方法も考えられる。
【００３０】
なお、本実施形態では、本体部に身頃を形成するための接ぎ線が形成されている例を挙げているが、丸編み等の編地の中には編地の段階で身頃が完成しているものもあり、このような編地で本体部１０を形成する場合には身頃に接ぎ線が形成されていないということも考えられ、このような編地を本体部１０の編地として用いても良い。本体部１０の裏側には、腹部及び股部用緊締部２０及び腹部用緊締部３０が設けられている。
【００３１】
腹部及び股部用緊締部２０は、緊締力を有しており、例えば、パワーネット等の高い伸縮性を有する生地によって形成することが考えられる。腹部及び股部用緊締部２０は、本体部１０のウエスト部１１の前側から着用者の腹部に沿って下方へ延在しており、更に、着用者の股部に沿って背面側へ延在している。
【００３２】
この腹部及び股部用緊締部２０の一端（一端側）２１は、上辺２１Ａと、上辺２１Ａの左右両端にそれぞれ隣接する斜辺２１Ｂとから形成されており、本体部１０のウエスト部１１の前側周辺部分に縫着されている。より具体的には、ウエスト部１１の前側に上辺２１Ａが縫着されており、ウエスト部１１に隣接する左右の脇側部分に斜辺２１Ｂがそれぞれ縫着されている。本実施形態において、ウエスト部１１の前側部分（上辺２１Ａが縫着されている部分）と、本体部１０の上記前側部分に隣接する脇側部分（斜辺２１Ｂが縫着されている部分）とが、「前側ウエスト部周辺」に相当する。
【００３３】
なお、本実施形態では、ウエスト部１１の脇側部分にも股部用緊締部２０が結合している例を挙げているが、本発明はこれに限定されるものではない。例えば、商品の仕様に応じて、ウエスト部１１の前側部分にだけ股部用緊締部２０を縫着するようにしても良い。また、ウエスト部１１の前側部分全幅にわたって股部用緊締部２０の一端２１を取り付けるのではなく、ウエスト部１１の前側部分の一部にだけ股部用緊締部２０を取り付けるような態様であっても良い。
【００３４】
一方、腹部及び股部用緊締部２０の他端（他端側）２２は、本体部１０の後側下部中央に縫着されている。本実施形態では、腹部及び股部用緊締部２０の他端２２は、体中心における左右臀溝の交点から臀溝に沿って左右に広がる逆Ｖ字状の形状をなしている。この他端２２は、図３に矢印で示すように、体中心に寄せ縮めた状態で縫着されていることが好ましい。
【００３５】
そして、腹部及び股部用緊締部２０における一端２１及び他端２２以外の部分は、本体部１０に縫着されておらず、遊離している。
【００３６】
腹部用緊締部３０は、緊締力を有しており、例えば、パワーネット等の高い伸縮性を有する生地によって形成することが考えられる。腹部用緊締部３０は、本体部１０のウエスト部１１の前側中央から着用者の腹部を覆いつつ左右脇側下方へ向けて延在している。
【００３７】
この腹部用緊締部３０の中央端３１は、本体部１０のウエスト部１１の前側中央に縫着されている。一方、腹部用緊締部３０の左右脇端３２は、着用者の大転子付近において、本体部１０の脇側に縫着されている。そして、腹部用緊締部３０における中央端３１及び左右脇端３２以外の部分は、本体部１０に縫着されておらず、遊離している。これにより、腹部用緊締部３０における中央端３１と左右脇端３２との間の脇側上縁端３３に、脇側上方に向けた開口が形成されている。
【００３８】
この本実施形態のスカートライナー１によれば、腹部及び股部用緊締部２０における一端２１及び他端２２以外の部分が本体部１０に縫着されておらず、遊離しているので、腹部及び股部用緊締部２０の存在が本体部１０に現れない。更に、腹部用緊締部３０における中央端３１及び左右脇端３２以外の部分も本体部１０に縫着されておらず、遊離しているので、腹部用緊締部３０の存在も本体部１０に現れない。したがって、見た目がおしゃれなスカートタイプの下着であり、更に、ミニスカートやタイトスカート等の若者向けアウターを着用しても補正用下着の存在がアウターに現れず、若者にも抵抗感がない。
【００３９】
このように、本実施形態のスカートライナー１は、見た目におしゃれなスカートタイプの下着でありながら、以下に説明するように、腹部及び臀部の補整の観点からも優れた作用効果を奏する。
【００４０】
まず、腹部及び股部用緊締部２０によって、着用者の腹部の出っ張りを補整することができる。
【００４１】
また、腹部及び股部用緊締部２０の他端２２が本体部１０の後側下部中央に縫着されているので、本体部１０の後身頃を着用者の臀部及び大腿部に密着させ、臀部の垂れ下がりを補整することができると共に、大腿部をスムージングすることができる。
【００４２】
また、腹部及び股部用緊締部２０の他端２２が本体部１０の後側下部中央に縫着されているので、すなわち、スカート本体部１０の裾口に近い位置で後身頃に縫着されているので、着用者の大腿部の動作に起因して、スカート本体部１０の裾が捲くれたり、ずり上がったりすることを防止することができる。
【００４３】
また、腹部及び股部用緊締部２０の他端２２が体中心に寄せ縮めた状態で縫着されているので、腹部及び股部用緊締部２０におけるクロッチ部分を、立体的に形成し、着用者の股部にしっかりフィットさせることができる。これにより、腹部及び股部用緊締部２０の他端部を臀裂下部及び臀溝体中心部の窪みにしっかり入り込ませ、本体部１０の後身頃を臀部下部により密着させることができる。その結果、臀部の垂れ下がりをより補整することができる。
【００４４】
次に、腹部用緊締部３０によっても、着用者の腹部の出っ張りを補整することができる。
【００４５】
また、腹部用緊締部３０が前側中央から左右脇側へ向けて斜め下方に延びる形状であるので、以下に示す作用効果を奏する。
【００４６】
図５は、従来の腹部用緊締部を示す図であり、図６は、本実施形態の腹部用緊締部を示す図である。図５及び図６では、（ａ）前側から見た図と、（ｂ）脇側から見た図が示されている。
【００４７】
図５に示すように、従来の水平方向に延在する腹部用緊締部３０Ｘによって腹部を圧迫すると、着用者の腹部の肉が腹部用緊締部３０Ｘの上方へ押し出される。その結果、被覆部と非被覆部とに段が形成されてしまう。
【００４８】
一方、図６に示すように、本実施形態の腹部用緊締部３０によって前側中央から左右脇側へ向けて斜め下方に圧をかけると、着用者の腹部の肉に対して下方向の力が作用する。これにより、着用者の腹部の肉が腹部用緊締部３０の上方へ押し出されることがなく、被覆部と非被覆部とに段が形成されることがない。
【００４９】
そして、腹部用緊締部３０によって下方へ移動された腹部の肉は、腹部及び股部用緊締部２０によってスムージングされることとなる。
【００５０】
また、腹部用緊締部３０が、脇側において、大転子周辺の骨が張り出している部分よりも上部のウエスト部脇側を押さえないため、腹部脇側の肉がはみ出て被覆部と非被覆部との境目部分に段が形成されることを防止することができる。
【００５１】
また、腹部用緊締部３０の脇側上縁端３３に脇側上方に向けた開口が形成されているので、腹部の肉を脇側上方に逃すことができ、腹部及び脇部用緊締部２０と協同してスムージングしながら腹部の出っ張りを抑えることができる。
【００５２】
ところで、従来、ガードル着用時には、臀溝部にガードルの身生地が食い込み、また、ウエスト部の上方に肉がはみ出し、被覆部と非被覆部とに段が形成されてしまい、その結果、アウターにひびいてしまうという問題があった。
【００５３】
図７は、従来の緊締部を有さないショーツを着用したときの図であり、図８は、従来の腹部及び臀部を補正するための緊締部を有するガードルを着用したときの図であり、図９は、本実施形態のスカートライナーを着用したときの図である。図７〜図９では、（ａ）前側から見た図と、（ｂ）脇側から見た図と、（ｃ）後側から見た図であってアウター（例えば、タイトスカート）着用時の図とが示されている。
【００５４】
図７及び図８によれば、ガードルによって腹部及び臀部の補正が可能である。しかしながら、この種のガードルでは、臀溝部やウエスト部において被覆部と非被覆部とで段が生じてしまい、その結果、アウターにひびいてしまう。
【００５５】
しかしながら、本実施形態のスカートライナー１によれば、図９に示すように、また、上述したように、腹部及び股部用緊締部２０によって、本体部１０の後身頃を着用者の大腿部に密着させ、大腿部をスムージングすることができる。また、腹部用緊締部３０によって腹部の肉を下方へ移動し、移動した腹部の肉を腹部及び股部用緊締部２０によってスムージングすることができる。これにより、臀溝部やウエスト部において被覆部と非被覆部との境目に段が生じ難く、アウターにもひびき難い。
【００５６】
なお、本発明は上記した本実施形態に限定されることなく種々の変形が可能である。例えば、腹部用緊締部３０は、中央端３１及び左右脇端３２以外にも縁を一周するように本体部１０に縫着されていてもよい。これによれば、腹部用緊締部３０による腹部の補正力をパワーアップすることができる。
【００５７】
また、本実施形態では、腹部用緊締部３０として高伸縮性素材の縫着（当て布）を例示したが、高伸縮性素材をボンディング等によって接着してもよい。また、腹部用緊締部３０は、本体部１０を形成する際に、編み組織（経編みや丸編み等）の伸度を部分的に変化させることによって形成してもよい（編み立て）。これによれば、腹部用緊締部３０による腹部の補正力をパワーアップすることができると共に、見た目をスッキリさせることができる。また、製造を容易にすることができる。
【００５８】
また、腹部用緊締部３０は、オパール加工や、樹脂プリント、特殊加工プリントなどによって形成してもよい。このように、腹部用緊締部３０の形成において、編み組織（経編みや丸編み等）の変化、オパール加工、プリントなどを用いると、その境界が区別できないほどに一体的に形成することが可能となる。
【００５９】
なお、丸編みや経て編みによって、例えば、腹部及び股部用緊締部２０と本体部１０とを一端２１で繋がった状態の一枚の編地として形成し、形成後に本体部１０と繋がっていない他端２２を本体部１０に繋ぐようにしても良い。また、反対に、腹部及び股部用緊締部２０と本体部１０とを他端２２で繋がった状態の一枚の編地として形成し、形成後に本体部１０と繋がっていない一端２１を本体部１０に繋ぐようにしても良い。この場合において、さらに、本体部１０の伸度を部分的に変更することによって腹部用緊締部３０を本体部１０に一体的に形成しても良い。
【００６０】
また、図１０に示すように、スカートライナー１は、腹部用緊締部３０を備えない形態であってもよい。
【００６１】
また、図１１に示すように、腹部及び股部用緊締部２０の他端側は、更に、着用者の臀部を覆うように延在し、他端２２が本体部１０のウエスト部１１の後側に縫着されていてもよいし、図１２に示すように、その中間で縫着されていてもよい。
【００６２】
また、腹部及び股部用緊締部２０の他端２２の形状は、逆Ｖ字状に限定されることなく、本体部の後身頃を臀部に密着させ、臀部の垂れ下がりを補整することが可能であれば、逆Ｕ字状や円弧状等のように様々な形状であってもよい。
【００６３】
また、本発明は、スカートライナーに限定されることなく、ペチコート等のスカートタイプの下着全てに適用可能である。また、本発明は、下着に限定されることなく、スカートタイプの衣類全てに適用可能である。
【産業上の利用可能性】
【００６４】
見た目におしゃれな若者向けスカートタイプの補整用下着の用途に適用することができる。
【符号の説明】
【００６５】
１    スカートライナー
１０  本体部
１１  ウエスト部
２０  腹部及び股部用緊締部
２１  腹部及び股部用緊締部の一端（一端側）
２２  腹部及び股部用緊締部の他端（他端側）
３０  腹部用緊締部
３１  腹部用緊締部の中央端
３２  腹部用緊締部の左右脇端
【図１】
2012056572.tif 000003
【図２】
2012056572.tif 000004
【図３】
2012056572.tif 000005
【図４】
2012056572.tif 000006
【図５】
2012056572.tif 000007
【図６】
2012056572.tif 000008
【図７】
2012056572.tif 000009
【図８】
2012056572.tif 000010
【図９】
2012056572.tif 000011
【図１０】
2012056572.tif 000012
【図１１】
2012056572.tif 000013
【図１２】
2012056572.tif 000014
【国際調査報告】
2012056572.tif 000015
2012056572.tif 000016
2012056572.tif 000017
2012056572.tif 000018